(57)【要約】      （修正有）【課題】脱落しやすい、及び、外観が良くない等の問題を少なくとも改善できる充電保護ケースを提供する。【解決手段】充電保護ケース１００は電子機器２００の収容に適している。電子機器は背面ＳＢと二つの向かい合う側面Ｓ１、Ｓ２を有し、且つ、二つの向かい合う側面は背面にそれぞれ接続される。充電保護ケースはケース体１１０と、充電コイル１２０と、信号伝送モジュール１３０を有する。ケース体は互いに係合できる第一部分１１２及び第二部分１１４を有する。互いに係合する第一部分及び第二部分によって、電子機器の二つの向かい合う側面と背面が共同で覆われる。充電コイルはケース体の第二部分に配置される。信号伝送モジュールは充電コイルに電気接続され、電子機器に取り外し可能に電気接続される。【選択図】図１
0003204992.tif 000002
【実用新案登録請求の範囲】
【請求項１】
背面と前記背面にそれぞれ接続される二つの向かい合う側面を有する電子機器の収容に適する充電保護ケースであって、
互いに係合できる第一部分及び第二部分を有し、互いに係合する前記第一部分及び前記第二部分によって、前記電子機器の前記二つの向かい合う側面と前記背面が共同で覆われるケース体と、
前記ケース体の前記第二部分に配置される充電コイルと、
前記充電コイルに電気接続され、前記電子機器に取り外し可能に電気接続される信号伝送モジュールと、
を有することを特徴とする充電保護ケース。
【請求項２】
前記第一部分は、少なくとも一つの第一係合片を備え、且つ、前記第二部分は前記少なくとも一つの第一係合片に対応する少なくとも一つの第二係合片を備えることを特徴とする請求項１に記載の充電保護ケース。
【請求項３】
前記第二部分は、前記信号伝送モジュールを収容するのに用いられる凹みをさらに有することを特徴とする請求項１又は２に記載の充電保護ケース。
【請求項４】
前記電子機器は、第一信号伝送ポートを備え、前記信号伝送モジュールは、回路基板、第一信号伝送コネクタ、少なくとも一つの第二信号伝送ポートを備え、前記回路基板は前記充電コイルに電気接続され、前記第一信号伝送コネクタ及び前記少なくとも一つの第二信号伝送ポートは前記回路基板に電気接続され、且つ、前記第一信号伝送コネクタは前記第一信号伝送ポートに取り外し可能に挿入され、前記充電コイルに前記信号伝送モジュールを介して、前記電子機器に電力を提供させることを特徴とする請求項１乃至３のいずれか１項に記載の充電保護ケース。
【請求項５】
前記第一信号伝送コネクタが前記第一信号伝送ポートに挿入される場合、前記充電コイルは順番に、前記回路基板、前記第一信号伝送コネクタ及び前記第一信号伝送ポートを介して、前記電子機器に電力を提供させることを特徴とする請求項４に記載の充電保護ケース。
【請求項６】
前記第二部分は少なくとも一つの開孔を備え、少なくとも一つの第二信号伝送コネクタに前記少なくとも一つの開孔を介して、対応する前記少なくとも一つの第二信号伝送ポートに挿入され、前記信号伝送モジュールを介して前記電子機器に電気接続されることを特徴とする請求項４に記載の充電保護ケース。
【請求項７】
前記少なくとも一つの第二信号伝送コネクタが前記少なくとも一つの第二信号伝送ポートに挿入される場合、前記少なくとも一つの第二信号伝送コネクタは順番に、前記少なくとも一つの第二信号伝送ポート、前記回路基板、前記第一信号伝送コネクタ及び前記第一信号伝送ポートを介して、前記電子機器に電気接続されることを特徴とする請求項６に記載の充電保護ケース。
【請求項８】
前記第一信号伝送ポート及び前記少なくとも一つの第二信号伝送ポートはそれぞれユニバーサルシリアルバスポートであり、前記第一信号伝送コネクタ及び前記少なくとも一つの第二信号伝送コネクタはそれぞれユニバーサルシリアルバスコネクタであることを特徴とする請求項６に記載の充電保護ケース。
【請求項９】
前記第二部分は、前記充電コイルを部分的に収容しつつ、部分的に覆っていることを特徴とする請求項１乃至８のいずれか１項に記載の充電保護ケース。
【請求項１０】
前記ケース体は、前記充電コイルと前記電子機器の間に配置される第三部分を更に有し、前記充電コイルは前記第三部分と前記第二部分の間に位置することを特徴とする請求項１乃至９のいずれか１項に記載の充電保護ケース。
【考案の詳細な説明】
【技術分野】
【０００１】
本考案は保護ケースに関するものであり、特に充電保護ケースに関するものである。
【背景技術】
【０００２】
既存の電子機器は、主に有線充電器によって固定式電源(例えば、商用交流電源)が提供する電気エネルギーを電子機器にチャージする。携帯型電子機器は、ユニバーサルシリアルバスポートの規格の違いに制限され、異なる型式またはメーカーの携帯型電子機器は、同じ有線充電器を共用することができず、したがって、使用者は、異なる携帯型電子機器に対応する異なる有線充電器をしばしば必要とし、使用者に煩わしさをもたらしているため、近年、ワイヤレス充電技術が次第に注目されている。
【０００３】
既存の無線充電技術は、主に電磁センサ方式を利用して携帯型電子機器を充電するものであり、無線充電機能を達成するために、携帯型電子機器は無線充電コイルモジュールと追加して接続する必要がある。現有する無線充電コイルモジュールは、電子機器の外部に剥き出しで直接接続しているので、脱落しやすい、及び、外観が良くない等の問題を有する。また、無線充電コイルモジュールは携帯型電子機器のユニバーサルシリアルバスポートを占有し、携帯型電子機器は一つのユニバーサルシリアルバスポートを有するだけの情況で、携帯型電子機器は充電時にその他の電子機器と接続できない。
【考案の概要】
【考案が解決しようとする課題】
【０００４】
本考案は、充電保護ケースを提供するものであり、脱落しやすい、外観が良くない等の問題を少なくとも改善することができる。
【課題を解決するための手段】
【０００５】
本考案の充電保護ケースは電子機器の収容に適しており、電子機器は背面と二つの向かい合う側面を有し、且つ、二つの向かい合う側面は背面にそれぞれ接続される。充電保護ケースはケース体と、充電コイルと、信号伝送モジュールを有する。ケース体は互いに係合できる第一部分及び第二部分を有する。互いに係合する第一部分及び第二部分によって、電子機器の二つの向かい合う側面と背面が共同で覆われ、且つ、第一部分及び第二部分は相互に係合する。充電コイルはケース体の第二部分に配置される。信号伝送モジュールは充電コイルに電気接続され、電子機器に取り外し可能に電気接続される。
【０００６】
本考案の実施形態において、前記第一部分は、少なくとも一つの第一係合片を備え、且つ、第二部分は前記少なくとも一つの第一係合片に対応する少なくとも一つの第二係合片を備える。
【０００７】
本考案の実施形態において、前記第二部分は、凹みをさらに有する。凹みは信号伝送モジュールを収容するのに用いられる。
【０００８】
本考案の実施形態において、前記電子機器は、第一信号伝送ポートを備える。信号伝送モジュールは回路基板、第一信号伝送コネクタ、少なくとも一つの第二信号伝送ポートを有する。回路基板は充電コイルに電気接続される。第一信号伝送コネクタ及び前記少なくとも一つの第二信号伝送ポートは回路基板に電気接続される。第一信号伝送コネクタは第一信号伝送ポートに取り外し可能に挿入され、充電コイルに信号伝送モジュールを介して、電子機器に電力を提供させる。
【０００９】
本考案の実施形態において、第一信号伝送コネクタが第一信号伝送ポートに挿入される場合、充電コイルは、順番に、回路基板、第一信号伝送コネクタ及び第一信号伝送ポートを介して、電子機器に電力を提供する。
【００１０】
本考案の実施形態において、第二部分は少なくとも一つの開孔を備え、少なくとも一つの第二信号伝送コネクタに少なくとも一つの開孔を介して、対応する少なくとも一つの第二信号伝送ポートに挿入され、信号伝送モジュールを介して電子機器に電気接続される。
【００１１】
本考案の実施形態において、少なくとも一つの第二信号伝送コネクタが少なくとも一つの第二信号伝送ポートに挿入される場合、少なくとも一つの第二信号伝送コネクタは順番に、前記少なくとも一つの第二信号伝送ポート、回路基板、第一信号伝送コネクタ及び第一信号伝送ポートを介して、電子機器に電気接続される。
【００１２】
本考案の実施形態において、前記第一信号伝送ポート及び前記少なくとも一つの第二信号伝送ポートはそれぞれユニバーサルシリアルバスポート（ＵＳＢ  ｐｏｒｔ）であり、前記第一信号伝送コネクタ及び前記少なくとも一つの第二信号伝送コネクタはそれぞれユニバーサルシリアルバスコネクタ（ＵＳＢ  ｃｏｎｎｅｃｔｏｒ）である。
【００１３】
本考案の実施形態において、第二部分は、充電コイルを部分的に収容しつつ、部分的に覆っている。
【００１４】
本考案の実施形態において、前記ケース体は、第三部分を更に有する。第三部分は充電コイルと電子機器の間に配置され、且つ、充電コイルは第三部分と第二部分の間に位置する。
【考案の効果】
【００１５】
上述に基づき、充電コイルは、充電保護ケースに統合され、使用者に剥き出しの充電コイルが直接見られることを避けることができ、充電コイルは、充電時の外力の衝撃による脱落を避けることができ、充電保護ケースは、従来の脱落しやすい問題や外観が良くない問題などを改善できる。実施形態において、信号伝送モジュールの第二信号伝送ポートの設置を介して、少なくとも一つの第二信号伝送コネクタは第二信号伝送ポートを介して、電子機器に電気接続でき、従来の電子機器が充電コイルと接続される時に同時にその他の電子機器と接続できない問題を解決することができる。
【図面の簡単な説明】
【００１６】
本考案の上述した特徴と利点を更に明確化するために、以下、幾つかの実施形態を挙げて図面と共に詳細な内容を説明する。
【００１７】
【図１】図１は本考案の実施形態における充電保護ケースの分解図である。
【図２】図２は図１の充電保護ケースが組み立てられた後の図である。
【図３】図３は電子機器と図１における充電保護ケースの充電コイルと信号伝送モジュールが組み立てられた後の図である。
【図４Ａ】図４Ａは電子機器と図１における充電保護ケースが組み立てられた後の図である。
【図４Ｂ】図４Ｂは充電保護ケースを組み立てた電子機器とその他の電子機器が接続される前の図である。
【図５】図５は図４Ａにおける切断線Ａ−Ａ’の断面図である。
【図６】図６は本考案の別の実施形態における充電保護ケースの断面図である。
【考案を実施するための形態】
【００１８】
図１は本考案の実施形態における充電保護ケースの分解図である。図２は図１の充電保護ケースが組み立てられた後の図であり、図２は、ケース体の第一部分、第二部分、充電コイル及び信号伝送モジュール間の相対配置関係を明瞭に表示するために、図１のケース体の第三部分を省略して図示している。図３は電子機器と図１における充電保護ケースの充電コイルと信号伝送モジュールが組み立てられた後の図である。図４Ａは電子機器と図１における充電保護ケースが組み立てられた後の図である。図４Ｂは充電保護ケースを組み立てた電子機器とその他の電子機器が接続される前の図である。図５は図４Ａにおける切断線Ａ−Ａ’の断面図である。
【００１９】
図１から図５を参照すると、充電保護ケース１００は、電子機器２００の収容に適している。電子機器２００は、背面ＳＢと二つの向かい合う側面（第一側面Ｓ１及び第二側面Ｓ２）を有し、且つ、二つの向かい合う側面は背面ＳＢにそれぞれ接続される。電子機器２００は、例えば携帯電話、タブレット等のような携帯型電子機器であることができるが、これに限定されない。充電保護ケース１００は、電子機器２００を適切に保護（傷防止、耐衝撃）することを提供するだけではなく、ワイヤレス充電機能をさらに提供することができる。
【００２０】
具体的に、充電保護ケース１００は、ケース体１１０、充電コイル１２０、信号伝送モジュール１３０を有する。ケース体１１０は組み立て式のケース体であり、互いに係合できる第一部分１１２及び第二部分１１４を有する。互いに係合する第一部分１１２及び第二部分１１４によって、電子機器２００の二つの向かい合う側面（例えば第一側面Ｓ１及び第二側面Ｓ２）と背面ＳＢがともに（共同で）覆われる。本実施形態において、ケース体１１０は電子機器２００の第一側面Ｓ１及び第二側面Ｓ２を覆うだけではなく、電子機器２００の他の向かい合う側面（例えば第三側面Ｓ３及び第四側面Ｓ４）も覆い、ケース体１１０は開口Ｏを備える。開口Ｏは電子機器２００のディスプレイ面ＤＳを露出させる、即ち、ディスプレイ面ＤＳはケース体１１０によって遮られていない。電子機器２００が表示装置である場合には、ディスプレイ面ＤＳは、表示装置が画像光束を出力する表面であってもよい。電子機器２００がタッチパネル表示装置である場合には、ディスプレイ面ＤＳは、タッチパネル表示装置のタッチパネル操作面であってもよい。
【００２１】
図１、図２、図４Ａ及び図４Ｂに示すように、第一部分１１２は、少なくとも一つの第一係合片１１２２を備えることができ、且つ、第二部分１１４は前記少なくとも一つの第一係合片１１２２に対応する少なくとも一つの第二係合片１１４２を備えることができる。例を挙げると、第一係合片１１２２及び第二係合片１１４２はそれぞれ雄、雌フックであることができ、且つ、第一係合片１１２２及び第二係合片１１４２は同じ数量を備えることができる。ケース体１１０が組み合わされる時、第二部分１１４は、電子機器２００の第二側面Ｓ２を覆ってから、第一部分１１２を電子機器２００の第一側面Ｓ１から第二側面Ｓ２の方に移動させて、第一係合片１１２２と第二係合片１１４２が互いに係合される。しかしながら、第一係合片１１２２と第二係合片１１４２の具体的な形態、数量及び組み合せ方式は上述のものに限定されない。当業者が本実用新案の精神の範囲から逸脱しない範囲において、変更することが可能である。
【００２２】
充電コイル１２０はケース体１１０の第二部分１１４に配置される。図２及び図５に示すように、充電コイル１２０は例えば第二部分１１４上に配置され、且つ、充電コイル１２０は第一部分１１２を覆わないが、これに限定されない。
【００２３】
本実施形態において、ケース体１１０は第三部分１１６を更に有することができる。図５に示すように、第三部分１１６は第二部分１１４上に配置され、且つ、充電コイル１２０は第三部分１１６と第二部分１１４の間に位置する。例を挙げると、第三部分１１６は例えば図２に示す開口Ｏ上に取り外し可能に設置することができ、その下方に位置する充電コイル１２０を遮る。換言すると、本実施形態は第三部分１１６の設置によって、充電コイル１２０を第三部分１１６と第二部分１１４の間に設置され、電子機器２００が第三部分１１６上に設置される、即ち、第三部分１１６は電子機器２００と充電コイル１２０の間に配置される。このように、ケース体１１０の視覚上の一致性を向上させるだけではなく、充電コイル１２０を適切に保護することを提供することもできる。しかしながら、第三部分１１６の形態は異なる要求に応じて設計することができ、例えば、第三部分１１６は第一部分１１２と第二部分１１４を同時に覆うことができる。別の実施形態において、第三部分１１６は、組み立てを容易にするために、少なくとも一つの穴（図示せず）を設置することもできる。
【００２４】
その他の実施形態において、図６に示すように、充電保護ケース１００は第三部分１１６を省略できる。換言すると、充電保護ケース１００のケース体１１０Ａは第一部分１１２と第二部分１１４Ａから構成され、そのうち第二部分１１４Ａは充電コイル１２０を収容し、且つ、部分的に覆うことで、使用者に肉眼で充電コイル１２０を直接見えないようにしている。
【００２５】
図１から図５を参照すると、信号伝送モジュール１３０は充電コイル１２０に電気接続され、電子機器２００に取り外し可能に電気接続される。信号伝送モジュール１３０はケース体１１０に配置できる。図１、図２及び図５に示すように、第二部分１１４は凹みＧを有することができる。凹みＧは信号伝送モジュール１３０を収容するのに用いられ、且つ、信号伝送モジュール１３０は実装部品（例えば電子回路）によって電子機器２００と接続できる。
【００２６】
具体的に、電子機器２００は第一信号伝送ポート２１０を備える。信号伝送モジュール１３０は回路基板１３２、第一信号伝送コネクタ１３４、少なくとも一つの第二信号伝送ポート１３６を有し、回路基板１３２は充電コイル１２０に電気接続される。本実施形態において、信号伝送モジュール１３０は実体部品（例えば電子回路）によって充電コイル１２０と接続できる。具体的に、信号伝送モジュール１３０は信号伝送回路１３８を更に有し、且つ、信号伝送モジュール１３０と充電コイル１２０を電気接続するために、信号伝送回路１３８は回路基板１３２に設置される。信号伝送回路１３８はフレキシブルプリント基板であることができるが、これに限定されない。
【００２７】
第一信号伝送コネクタ１３４は回路基板１３２に電気接続され、且つ、回路基板１３２に配置できる。第一信号伝送コネクタ１３４は第一信号伝送ポート２１０に取り外し可能に挿入され、充電コイル１２０に信号伝送モジュール１３０との電気接続を介して、電子機器２００に電力を提供させる。具体的に、第一信号伝送コネクタ１３４が第一信号伝送ポート２１０に挿入される場合、充電コイル１２０は順番に、回路基板１３２、第一信号伝送コネクタ１３４及び第一信号伝送ポート２１０を介して、電気接続されて、電子機器２００に電力を提供させる。第一信号伝送ポート２１０はユニバーサルシリアルバスポートであることができ、第一信号伝送コネクタ１３４はユニバーサルシリアルバスコネクタであることができ、そのうちユニバーサルシリアルバスポート及びユニバーサルシリアルバスコネクタの種類は設計要求に応じて決めることができる。例を挙げると、ユニバーサルシリアルバスポートはＵＳＢ  Ｔｙｐｅ−Ｃポートであることができ、ユニバーサルシリアルバスコネクタはＵＳＢ  Ｔｙｐｅ−Ｃコネクタであることができるが、これに限定しない。
【００２８】
第二信号伝送ポート１３６は回路基板１３２に電気接続され、且つ、回路基板１３２に配置できる。第二部分１１４は少なくとも一つの開孔Ｈを備え、少なくとも一つの第二信号伝送コネクタ３１０に前記少なくとも一つの開孔Ｈを介して、対応する少なくとも一つの第二信号伝送ポート１３６に挿入され、信号伝送モジュール１３０を介して電子機器２００に電気接続される。具体的に、少なくとも一つの第二信号伝送コネクタ３１０が少なくとも一つの第二信号伝送ポート１３６に挿入される場合、前記少なくとも一つの第二信号伝送コネクタ３１０は順番に、前記少なくとも一つの第二信号伝送ポート１３６、回路基板１３２、第一信号伝送コネクタ１３４及び第一信号伝送ポート２１０を介して、電子機器２００に電気接続される。
【００２９】
したがって、少なくとも一つの第二信号伝送コネクタ３１０を介して、その他の電子機器３００（例えばコンピュータ、携帯型ドライブ等）は前記少なくとも一つの第二信号伝送ポート１３６に電気接続され、このように、従来の電子機器の充電時に、唯一の信号伝送ポートがすでに使われ、従来の電子機器が同時にその他の電磁機器に接続できない問題を解決することができる。第二信号伝送ポート１３６の種類は第一信号伝送ポート２１０と同じであっても異なってもよい。また、第二信号伝送ポート１３６はユニバーサルシリアルバスポートであってもよく、ユニバーサルシリアルバスポートの種類は設計要求に応じて決めることができる。例を挙げると、ユニバーサルシリアルバスポートはＵＳＢ  Ｔｙｐｅ−Ｃポートであってもよいが、これに限定されない。第二信号伝送ポート１３６は本実施形態において、第二信号伝送ポート１３６の数量は一つであり、且つ、第二信号伝送ポート１３６は第二の側の電子機器２００の第二側面Ｓ２に位置するが、第二信号伝送ポート１３６の数量及びその配置位置はこれに限定されない。
【００３０】
また、信号伝送モジュール１３０は少なくとも一つの電子部品１３９を更に有することができる。前記少なくとも一つの電子部品１３９は回路基板１３２に電気接続され、且つ、回路基板１３２に配置され、それはマイクロコントローラ又はそのほかの能動素子又は受動素子であってもよい。
【００３１】
以上により、充電コイル及び信号伝送モジュールは保護ケースに統合され、使用者によって充電コイルが直接見られることを避けることができ、充電コイルは充電時の外力の衝撃による脱落を避けることができ、充電保護ケースは従来の脱落しやすい問題や外観が良くない問題などを改善できる。実施形態において、信号伝送モジュールの第二信号伝送ポートの設置を介して、少なくとも一つの第二信号伝送コネクタを備えるその他の電子機器は、第二信号伝送ポートを介して、その他の電子機器に電気接続でき、従来の電子機器が充電コイルと接続される時に同時にその他の電子機器と接続できない問題を解決することができる。
【００３２】
本考案は以上の実施形態のように示したが、本考案は、これに限られるものではなく、当業者が本考案の精神の範囲から逸脱しない範囲において、変更又は修正することが可能であるが故に本考案の保護範囲は実用新案請求の範囲を基準とする。
【産業上の利用可能性】
【００３３】
本考案は、充電保護ケースを提供し、脱落しやすい、外観が良くない等の問題を少なくとも改善することができる。
【符号の説明】
【００３４】
１００：充電保護ケース
１１０、１１０Ａ：ケース体
１１２：第一部分
１１４、１１４Ａ：第二部分
１１６：第三部分
１２０：充電コイル
１３０：信号伝送モジュール
１３２：回路基板
１３４：第一信号伝送コネクタ
１３６：第二信号伝送ポート
１３８：信号伝送回路
１３９：電子部品
２００：電子機器
２１０：第一信号伝送ポート
３００：その他の電子機器
３１０：第二信号伝送コネクタ
１１２２：第一係合片
１１４２：第二係合片
ＤＳ：ディスプレイ面
Ｇ：凹み
Ｈ：開孔
Ｏ：開口
Ｓ１：第一側面
Ｓ２：第二側面
Ｓ３：第三側面
Ｓ４：第四側面
ＳＢ：背面
Ａ−Ａ’：切断線
【図１】
0003204992.tif 000003
【図２】
0003204992.tif 000004
【図３】
0003204992.tif 000005
【図４Ａ】
0003204992.tif 000006
【図４Ｂ】
0003204992.tif 000007
【図５】
0003204992.tif 000008
【図６】
0003204992.tif 000009